(57)【要約】【課題】記録媒体から読み出したり書き込んだりするための装置において、レコーディングの特定データを作成するためには不十分なタイムインターバルによって分離された連続する事前にプログラムされたレコーディングをコンテンツの消失なしに取り扱うことができる方法を提供する。【解決手段】連続する事前にプログラムされたレコーディングを分離するタイムインターバルが特定データを作成するには不十分である場合、連続するレコーディングを単一のレコーディングとして扱い、そして、そのレコーディングの特定データが単一のレコーディングが終了したときに作成される。【選択図】図１
2006196158.tif 000002
【特許請求の範囲】
【請求項１】
記録媒体から読み出したり書き込んだりするための装置で事前にプログラムされたレコーディングを実施し、各レコーディングがレコーディング・セッションの終わりにレコーディングの特定データの作成を必要とするための方法において、
連続する事前にプログラムされたレコーディングを分離するタイムインターバルが前記特定データを作成するには不十分である場合、前記連続するレコーディングを単一のレコーディングとして扱い、そして、前記レコーディングの特定データが前記単一のレコーディングが終了したときに作成されることを特徴とする方法。
【請求項２】
前記単一のレコーディングが、前記レコーディングの特定データを作成する前に、分離されたレコーディングに分割される、請求項1記載の方法。
【請求項３】
前記レコーディングの特定データが、メニュー、チャプター情報、サムネイル、そしてナビゲーション情報のうちの少なくとも一つを含む、請求項1又は2記載の方法。
【請求項４】
識別子が、前記単一のレコーディングの分割がなされた位置に記録されている、請求項２又は３記載の方法。
【請求項５】
記録されるべきデータのサブユニットが現在の事前にプログラムされたレコーディングの終了時点で終了し、そして、記録されるべきデータの新しいサブユニットが、連続する次の事前にプログラムされたレコーディングの開始時点からスタートする、請求項１乃至請求項4いずれか1項に記載の方法。
【請求項６】
前記記録媒体のある程度のエリアが、レコーディングの特定データを記録するために、連続する事前にプログラムされたレコーディング間の境界に記録されないで残される、請求項１乃至請求項５いずれか1項に記載の方法。
【請求項７】
連続する事前にプログラムされたレコーディング間のタイムインターバルがレコーディングの特定データを作成するために不十分かどうかを決定するために、可変のタイムインターバルが用いられる、請求項１乃至請求項６いずれか1項に記載の方法。
【請求項８】
前記可変のタイムインターバルは、前記単一のレコーディングに含まれるデータの量、および／または、事前にプログラムされたレコーディングの数に依存する、請求項7記載の方法。
【請求項９】
記録媒体から読み出したり書き込んだりするための装置において、請求項1乃至請求項８いずれか1項記載の方法で実行されることを特徴とする装置。
【発明の詳細な説明】
【技術分野】
【０００１】
本発明は、記録媒体から読み出しかつ書き込む装置における事前にプログラムされたレコーディングを実行する方法および該方法を用いたオーディオ／ビデオ装置に関する。
【背景技術】
【０００２】
VCR(ビデオカセットレコーダ）、DVDレコーダ（デジタル多用途ディスク）あるいはHDDレコーダ（ハードドライブディスク）などの多くのオーディオ／ビデオ装置は、スケジュールされたレコーディング、即ち、指定された時間にレコーディングがスタートすることができるようになっている。特に、DVDレコーダにおいては、レコーディングが終了すると、レコーディングの特定データ、即ち、メインのレコーディングに追加して記録媒体に記憶されるところのタイトルやサムネイルを作成し始める。
【０００３】
これは、２つのレコーディングが背中合わせ、即ち、第2のレコーディングが第1のレコーディングの後すぐに又は短時間後にスタートする場合、タイトルやサムネイルのために必要な時間が、両レコーディング間の時間ギャップを引き起こす、という問題を発生させる。この時間ギャップは、１分のレンジであり、ユーザが認識できる時間長である。
【発明の開示】
【発明が解決しようとする課題】
【０００４】
本発明の課題は、レコーディングの特定データを作成するためには不十分なタイムインターバルによって分離された、連続する事前にプログラムされたレコーディングを取り扱うことができる、事前にプログラムされたレコーディングのための方法を及び装置を提供することにある。
【課題を解決するための手段】
【０００５】
本発明によれば、本課題は、記録媒体から読み出したり書き込んだりするための装置で事前にプログラムされたレコーディングを実施し、各レコーディングがレコーディング・セッションの終わりにレコーディングの特定データの作成を必要とするための方法であって、連続する事前にプログラムされたレコーディングを分離するタイムインターバルが前記特定データを作成するには不十分である場合、前記連続するレコーディングを単一のレコーディングとして扱い、そして、前記レコーディングの特定データが前記単一のレコーディングが終了したときに作成される方法によって実現される。
【０００６】
記録媒体から読み出したり書き込んだりするための典型的な装置はDVDレコーダである。そのようなレコーダでは、メニュデータやサムネイルなどの作成に使う時間が、事前にプログラムされたレコーディングが終了したときに必要とされる。現在利用されているレコーダでは、連続するレコーディング間に少なくとも３０秒のポーズを必要とされる。この結果、ユーザが記録したいと望むデータの一部を消失してしまうことになる。
【０００７】
本発明の利点として、連続するレコーディング間にポーズが要求されない、即ち、コンテンツの消失が無くなることである。もちろん、本発明の方法は、他のタイプの光学メデア、HDDレコーダなどのレコーダにも同じように適用可能である。
【０００８】
好ましくは、この単一のレコーディングは、レコーディングの特定データを作成する前に、分離されたレコーディングに分割される。この利点は、単一のレコーディング・セッションのレコーディングにも拘わらず、このレコーディングは独立したレコーディングとして扱われ、その結果、ナビゲーションや編集が容易になる。単一レコーディングの分割場所を簡単に見つけるために、単一のレコーディングが分割された場所に識別子が記録されていることが好ましい。
【０００９】
有利には、レコーディングの特定データには、メニュー、チャプター情報、サムネイル、ナビゲーション情報の少なくとも一つが含まれている。メニューは、記録媒体の内容についての概要を提示し、異なるレコーディングへの早いアクセスを可能にする。チャプター情報は、レコーディングのサブセクション、それはまたチャプターとして言及される、へのアクセスを容易にする。そのチャプターは、レコーディング過程の中ですでに認識されてもよいし、あるいは、レコーディング・セッションが完了した後であり得るチャプター境界のために、完了したレコーディングをスキャニングすることによって認識されてもよい。特に、この場合は、これ以上のレコーディングが実行できない期間中に、ある程度の時間が必要である。
【００１０】
サムネイル、即ち、小さな可視的な識別子の作成にはビデオ・プロセッサーを必要とする。それ故、他のタスク、例えば、連続するレコーディングのためのオーディオ、ビデオデータの圧縮などのタスクのために、このデバイスが少なくとも短時間は利用できなくなる。ナビゲーション情報は、記録されたコンテンツのプレイバック、特に、高速前進、高速後進における精確なジャンプ、あるいは他のタイプのトリック・モードのために必要である。
【００１１】
好ましくは、記録されるべきデータのサブユニットが現在の事前にプログラムされたレコーディングの終了時点で終了し、そして、記録されるべきデータの新しいサブユニットが、連続する次の事前にプログラムされたレコーディングの開始時点からスタートする。例えば、MPEGエンコードによるレコーディングの場合、新しいＩ−フレーム、新しいＧＯＰ（ｇｒｏｕｐ  ｏｆ  ｐｉｃｔｕｒｅ）、あるいは、新しいセルが、連続するレコーディングのスタート時点でスタートする。同じようなサブユニットは、他の圧縮あるいはレコーディング規格にも利用できる。この手段は、レコーディングを２つの分離されたレコーディングに分割するのに大変便利である。それによって、全レコーディング・プロセスを完成するために必要な時間を少なくできる。
【００１２】
好ましくは、記録媒体のある程度（ｃｅｒｔａｉｎ）のエリアが、レコーディングの特定データを記録するために、連続する事前にプログラムされたレコーディング間の境界に記録されないで残される。このことによって、レコーディングの特定データが属するレコーディングに引き続き即座にレコーディングの特定データを記録することができる。
【００１３】
好ましくは、連続する事前にプログラムされたレコーディング間のタイムインターバルがレコーディングの特定データを作成するために不十分かどうかを決定するために、可変のタイムインターバルが用いられる。例えば、可変のタイムインターバルが、単一のレコーディングに含まれる、データの量、および／または、事前にプログラムされたレコーディングの数に依存する。
【００１４】
このことによって、短い事前にプログラムされたレコーディングのための特定データを作成するための時間より長い事前にプログラムされたレコーディングのための特定データを作成するための時間の方を長くすることが考慮できるようになる。さらに、単一のレコーディングを連続するレコーディングに分割することにも、ある程度の長さの時間を必要とし、その時間を考慮しなければならない。
【００１５】
有利には、本発明の方法は、記録媒体から読み出したり書き込んだりするための装置において、記録媒体に事前にプログラムされたレコーディングを実行するために用いられる。
【発明を実施するための最良の形態】
【００１６】
さらに本発明を良く理解するために、図を参照しながら以下詳細に説明する。本発明はこの説明のための実施例に限定されるものではなく、本発明の範囲を逸脱しない範囲で、特定の機能を説明のために組み合わせおよび／又は修正することができる。
【００１７】
図1は、本発明の事前にプログラムされたレコーディングを実行するための方法を示したものである。図1には、本発明の事前にプログラムされたレコーディング（以下、事前プログラムレコーディングと記す）の方法が概略的に示されている。
【００１８】
第1ステップでは、ユーザが設定したタイマー（レコーディングのための時刻）が入力される、即ち、新しい事前プログラムレコーディングが設定される（１）。新しいタイマーの入力後、この新しいタイマーが前に入力されたタイマーと衝突（オーバーラップ）しないかをチェックする（２）。もし、衝突する場合は、オーバーラップ処置が実行される（３）。例えば、ユーザは、この新しいタイマーを正しく設定し直すか、あるいは前のタイマーを短く設定するか又は消去するかの決断が要求される。もし、新しいタイマーが前のタイマーと衝突しないなら、タイマーのスタートタイムに達したかどうか決定される（４）。このケース場合でない（スタートタイムに達していない，ｎｏ）限りにおいて、ユーザは、プログラムされたタイマーにアクセスして（５）修正する、又は新しいタイマーを入力することが可能である。如何なる修正されたタイマーあるいは新しいタイマーも、他のタイマーと衝突しないどうかがチェックされる（２）。
【００１９】
タイマーのスタートタイムに達したことが決定される（４）とすぐに、事前プログラムレコーディングのレコーディングがスタートする（６）。レコーディング中は、事前プログラムレコーディングの終わりの時間に近づいたかどうか定期的にチェックされる（７）。このケース（近づいている、ｙｅｓ）の場合は、現在のレコーディングの終了時間からのタイムインターバルΔ内に、次のレコーディングのスタート時点が存在するかどうかが決定される（８）。ここで、Δは、レコーディングの特定データを作成し記憶するために必要な時間である。
【００２０】
このケース（タイムインターバルΔ内に、次のレコーディングのスタート時点が存在する、ｙｅｓ）の場合は、レコーディング・セッションは、レコーディングの特定データを作成することなく、次の事前プログラムレコーディングが単に続いて実行される（単一のレコーディング）。付随して、この連続するレコーディング間にある種の境界処理が実行される（９）、例えば、この境界に目印を記憶させるとか、あるいは、記録媒体上にいくらかの記録されないスペースを残すとか、あるいは、現在の事前プログラムレコーディングの終了点で特定のサブユニットを閉じて、かつ次の事前プログラムレコーディングの開始点で新しいサブユニットを開くとかの処理をする。
【００２１】
如何なる後続のレコーディングに対しても、次の事前プログラムレコーディングのスタート時点が、現在の事前プログラムレコーディングの終了時点からタイムインターバルΔ内に存在しないなら、連続する事前プログラムレコーディングがそのセッション内で記録完了したかどうかがチェックされる（１０）。もし、連結されたレコーディング（ｙｅｓ）であるなら、レコーディングの特定データを作成、記憶する（１２）前に、これらのレコーディングは分割される（１１）。
【００２２】
Δは必ずしも一定のタイムインターバルとは限らない。好ましくは、Δは、そのレコーディング・セッションにおいて記録されたデータの量に依存する、および／又は、そのレコーディング・セッションの連続するレコーディングの数に依存する。
【図面の簡単な説明】
【００２３】
【図１】図1は、本発明に従った方法のフローチャートを示している。
【図１】
2006196158.tif 000003